(57)【要約】      （修正有）【課題】リクライナ機構を背部支持構造および底部支持構造に取り付けるブラケットの全体の重量、コスト、および組立て後のリクライナ機構、背部支持部材、および底部支持部材の複雑さを押さえる。【解決手段】座席アセンブリが提供され、この座席アセンブリは、第１の表面３８、第２の表面４０、および第１の表面と第２の表面との間に配置された開口を有する支持部材を含んでよい。第１の表面は第２の表面と実質的に共平面でよく、リクライナ機構１０が、第１の表面と第２の表面との間に収容されてよく、少なくとも部分的に開口に重なってよい。【選択図】図４
2011219082.tif 000002
【特許請求の範囲】
【請求項１】
第１の表面、第２の表面、および前記第１の表面と前記第２の表面との間に配置された開口を含み、前記第１の表面が前記第２の表面と実質的に共平面である支持部材と、
前記第１の表面と前記第２の表面との間に収容され、少なくとも部分的に前記開口に重なるリクライナ機構と
を含むことを特徴とする座席アセンブリ。
【請求項２】
前記リクライナ機構の少なくとも一部分が、前記開口内に延在することを特徴とする請求項１に記載の座席アセンブリ。
【請求項３】
前記リクライナ機構が、少なくとも部分的に前記リクライナ機構の周の周りに延在する包囲リングを含むことを特徴とする請求項１に記載の座席アセンブリ。
【請求項４】
前記包囲リングの第１の端部が、少なくとも部分的に前記開口内に延在することを特徴とする請求項３に記載の座席アセンブリ。
【請求項５】
前記包囲リングが、第１のらせん状フランジを含み、前記支持部材が、前記開口と同軸に配置された第２のらせん状フランジを含み、前記第１のフランジが前記第２のフランジと係合することを特徴とする請求項４に記載の座席アセンブリ。
【請求項６】
前記第１の端部が、前記開口に近く、かつ前記第１の表面および前記第２の表面の少なくとも一方に近い、前記支持部材に溶接されていることを特徴とする請求項４に記載の座席アセンブリ。
【請求項７】
前記第１の表面および前記第２の表面と一体に形成され、前記第１の表面および前記第２の表面に対して実質的に垂直な第３の表面を規定するフランジをさらに含むことを特徴とする請求項１に記載の座席アセンブリ。
【請求項８】
前記リクライナ機構が包囲リングを含み、前記包囲リングが、前記開口内に延在し、前記第３の表面に対して実質的に平行であることを特徴とする請求項７に記載の座席アセンブリ。
【請求項９】
前記包囲リングが、前記フランジの第３の表面に固着されていることを特徴とする請求項８に記載の座席アセンブリ。
【請求項１０】
前記支持部材がダブラー板を含み、前記リクライナ機構の少なくとも一部分が前記ダブラー板に固着されていることを特徴とする請求項１に記載の座席アセンブリ。
【請求項１１】
第１の表面、第２の表面、および前記第１の表面と前記第２の表面との間に配置された開口を含み、前記第１の表面が前記第２の表面と実質的に共平面である支持部材と、
前記第１の表面と前記第２の表面との間に収容され、前記開口と実質的に同軸に配置されたリクライナ機構と、
前記支持部材および前記リクライナ機構と係合する包囲部材と
を含むことを特徴とする座席アセンブリ。
【請求項１２】
前記包囲部材が、前記支持部材における前記開口と係合することを特徴とする請求項１１に記載の座席アセンブリ。
【請求項１３】
前記リクライナ機構の少なくとも一部分が前記開口内に延在することを特徴とする請求項１２に記載の座席アセンブリ。
【請求項１４】
前記包囲部材が、前記支持部材と係合するフランジを含むことを特徴とする請求項１２に記載の座席アセンブリ。
【請求項１５】
前記フランジが、実質的にらせん形状を有し、前記支持部材の前記開口と実質的に同軸のらせん形状の部材と係合することを特徴とする請求項１４に記載の座席アセンブリ。
【請求項１６】
前記包囲部材が、少なくとも部分的に前記リクライナ機構の周の周りに延在する環状部を含むことを特徴とする請求項１１に記載の座席アセンブリ。
【請求項１７】
前記包囲リングの第１の端部が、少なくとも部分的に前記支持部材内における前記開口内に延在し、前記第１の端部が、前記開口に近く、かつ前記第１の表面および前記第２の表面の少なくとも一方に近い、前記支持部材に溶接されていることを特徴とする請求項１６に記載の座席アセンブリ。
【請求項１８】
前記第１の表面および前記第２の表面と一体に形成され、前記第１の表面および前記第２の表面に対して実質的に垂直な第３の表面を規定するフランジをさらに含み、前記包囲部材が、前記開口内に延在し、前記第３の表面に対して実質的に平行であることを特徴とする請求項１１に記載の座席アセンブリ。
【請求項１９】
前記支持部材がダブラー板を含み、前記リクライナ機構の少なくとも一部分が前記ダブラー板に固着されていることを特徴とする請求項１１に記載の座席アセンブリ。
【請求項２０】
前記支持部材が背部支持部材であることを特徴とする請求項１１に記載の座席アセンブリ。
【発明の詳細な説明】
【技術分野】
【０００１】
関連出願の参照
本出願は、２０１０年３月１７日出願の米国仮出願第６１／３１４９０７号の利益を主張し、また、２０１０年１１月１９日出願の米国仮出願第６１／４１５５３９号の利益を主張する。上記出願の各々の開示全体は、参照によってここに組み込まれる。
【０００２】
本開示は、リクライナ機構に関し、より詳細には、リクライナ機構の搭載構造に関する。
【背景技術】
【０００３】
この項においては、本開示に関連する背景情報を提供し、必ずしも従来技術を提供するものではない。
【０００４】
座席アセンブリは、一般に、座席底部に対する座席背部の選択的回転を許容する、少なくとも１つのリクライナ機構を含んでいる。このようなリクライナ機構は、座席底部に対して座席背部を所望の角度位置に配置するための、座席底部に対する座席背部の回転を許容する。さらに、このようなリクライナ機構は、また、座席底部に対して座席背部を折り畳み状態にして、座席背部および座席底部がダンプ位置に移動することを可能にし、および／または、座席背部が平坦な積載表面を提供するのを可能にしてもよい。
【０００５】
リクライナ機構の特定の構成および機能にかかわらず、従来のリクライナ機構は、一般に、座席背部と座席底部との間に配置された回動点の近傍に配置されている。リクライナ機構は、座席底部に対する座席背部の回転を選択的に許容するように、座席背部および座席底部のどちらか一方または両方に取り付けられてよい。
【０００６】
具体的に図１を参照すると、背部支持部材Ｂに組み込まれ取り付けられた従来技術のリクライナ機構Ａが示されている。リクライナ機構Ａは、概して、背部支持部材Ｂの段差部Ｃ内に収容され、リクライナ機構Ａの少なくとも一部分は、段差部Ｃ内において、背部支持部材Ｂに固着されている。段差部Ｃは、背部支持部材Ｂの表面Ｅから距離Ｆだけずれた、表面Ｄを含んでいる。表面Ｅは、段差部Ｃの上方に位置し、リクライナ機構Ａから離れて背部支持部材Ｂの上部へと延在する段差部Ｃの表面Ｄは、背部支持部材Ｂの下部の近くおよび座席底部（不図示）の近くに位置する。
【０００７】
段差部Ｃは、リクライナ機構Ａが配置される凹部Ｇを提供している。凹部Ｇは、リクライナ機構Ａの厚さのすべてではないにしてもほとんどに相当しており、リクライナ機構Ａの少なくとも一部分が固着されてよい表面Ｄを提供している。
【０００８】
背部支持部材Ｂの凹部Ｇは、リクライナ機構Ａへの取付けのための表面Ｄのほか、リクライナ機構Ａを収容する空間を提供するものの、段差部Ｃは、一般に、表面Ｅと表面Ｄとの間に概して位置する遷移領域Ｈでの背部支持部材Ｂの充分な強度を確保するために、背部支持部材Ｂが比較的厚い材料から形成されることを必要とする。背部支持部材Ｂを比較的厚い材料から形成することは、背部支持部材Ｂの重量、大きさおよびコストを増し、結果として、組立て後のリクライナ機構と背部支持部材の重量、大きさおよびコストを増す。
【０００９】
上述の事項に加えて、従来のリクライナ機構は、一般に、リクライナ機構の一部分を背部支持部材に取り付けるための分離した別個のマウントブラケットと、リクライナ機構の一部分を座席底部に取り付けるための分離した別個のマウントブラケットとを必要とする。個々のマウントブラケットは、従来のリクライナ機構を背部支持構造および底部支持構造に充分に取り付けるが、そのようなブラケットは、全体の重量、コスト、および組立て後のリクライナ機構、背部支持部材、および底部支持部材の複雑さを増す。
【発明の概要】
【００１０】
この節は、本開示の全体的概要を提供するが、本開示の全範囲またはその特徴のすべての総合的な開示ではない。
【００１１】
座席アセンブリが提供され、この座席アセンブリは、第１の表面、第２の表面、および第１の表面と第２の表面との間に配置された開口を有する支持部材を含んでよい。第１の表面は第２の表面と実質的に共平面でよく、リクライナ機構が、第１の表面と第２の表面との間に収容されてよく、少なくとも部分的に開口に重なってよい。
【００１２】
他の形態において、本開示は、支持部材、リクライナ機構、および包囲部材を含んでよい座席アセンブリを提供する。支持部材は、第１の表面、第２の表面、および第１の表面と第２の表面との間に配置された開口を含んでよい。第１の表面は第２の表面と実質的に共平面でよい。リクライナ機構は、第１の表面と第２の表面との間に収容されてよく、開口と実質的に同軸に配置されてよい。包囲部材は、支持部材およびリクライナ機構と係合してよい。
【００１３】
適用性のさらなる範囲が、ここに提供される開示から、明らかになるであろう。本概要における記載および具体的な例は、例示のみを目的としたものであり、本開示の範囲を限定することを意図したものではない。
【００１４】
ここに説明する図面は、すべての実施態様ではなく、選択された実施形態の例示のみを目的とするものであり、本開示の範囲を限定することを意図したものではない。
【図面の簡単な説明】
【００１５】
【図１】従来技術の背部支持部材に組み込まれた従来技術のリクライナ機構を模式的に示す図である。
【図２】本開示の原理に従う背部支持部材およびリクライナ機構を組み込んだ座席アセンブリの斜視図である。
【図３】図２の背部支持部材およびリクライナ機構を示すために、外部構造の一部を除去した図２の座席アセンブリの斜視図である。
【図４】図２の座席アセンブリと共に使用する、本開示の原理に従うリクライナ機構を組み込んだ、本開示の原理に従う背部支持部材の部分斜視図である。
【図５】図４の背部支持部材およびリクライナ機構の部分断面図である。
【図６】図２の座席アセンブリと共に使用する、本開示の原理に従うリクライナ機構を組み込んだ、本開示の原理に従う背部支持部材の部分斜視図である。
【図７】図６の背部支持部材およびリクライナ機構の部分断面図である。
【図８】図２の座席アセンブリと共に使用する、本開示の原理に従うリクライナ機構を組み込んだ、本開示の原理に従う背部支持部材の部分斜視図である。
【図９】図８の背部支持部材およびリクライナ機構の部分断面図である。
【図１０】図２の座席アセンブリと共に使用する、本開示の原理に従うリクライナ機構を組み込んだ、本開示の原理に従う背部支持部材の部分斜視図である。
【図１１】図１０の背部支持部材およびリクライナ機構の部分断面図である。
【図１２】図２の座席アセンブリと共に使用する、本開示の原理に従うリクライナ機構を組み込んだ、本開示の原理に従う背部支持部材の部分斜視図である。
【図１３】図１２の背部支持部材およびリクライナ機構の部分斜視図である。
【図１４】図１２および図１３の背部支持部材およびリクライナ機構の部分断面図である。
【図１５】図２の座席アセンブリと共に使用する、本開示の原理に従うリクライナ機構を組み込んだ、本開示の原理に従う背部支持部材の部分斜視図である。
【図１６】図１５の背部支持部材およびリクライナ機構の部分断面図である。
【図１７】図２の座席アセンブリと共に使用する、本開示の原理に従うリクライナ機構を組み込んだ、本開示の原理に従う背部支持部材の部分斜視図である。
【図１８】図２の座席アセンブリと共に使用する、本開示の原理に従うリクライナ機構を組み込んだ、本開示の原理に従う背部支持部材の部分斜視図である。
【図１９】図２の座席アセンブリと共に使用する、本開示の原理に従うリクライナ機構を組み込んだ、本開示の原理に従う背部支持部材の部分斜視図である。
【図２０】図２の座席アセンブリと共に使用する、本開示の原理に従うリクライナ機構を組み込んだ、本開示の原理に従う背部支持部材の部分斜視図である。
【図２１】図２の座席アセンブリと共に使用する、本開示の原理に従うリクライナ機構を組み込んだ、本開示の原理に従う背部支持部材の部分斜視図である。
【図２２】図２の座席アセンブリと共に使用する、本開示の原理に従うリクライナ機構を組み込んだ、本開示の原理に従う背部支持部材の部分斜視図である。
【図２３】図２の座席アセンブリと共に使用する、本開示の原理に従うリクライナ機構を組み込んだ、本開示の原理に従う背部支持部材の部分斜視図である。
【図２４】図２３の背部支持部材およびリクライナ機構の部分斜視図である。
【図２５】図２の座席アセンブリと共に使用する、本開示の原理に従うリクライナ機構を組み込んだ、本開示の原理に従う背部支持部材の部分斜視図である。
【図２６】図２５の背部支持部材およびリクライナ機構の部分分解図である。
【図２７】図２５の背部支持部材およびリクライナ機構の断面図である。
【図２８】図２の座席アセンブリと共に使用する、本開示の原理に従うリクライナ機構を組み込んだ、本開示の原理に従う背部支持部材の部分斜視図である。
【図２９】図２８の背部支持部材およびリクライナ機構の断面図である。
【発明を実施するための形態】
【００１６】
対応する参照符号は、図面中のいくつかの図を通じて、対応する部分を示す。
添付の図面を参照しながら、例示の実施形態についてより詳細に説明する。
【００１７】
例示の実施形態は、本開示が徹底的になり、当業者に発明の範囲の充分な理解をもたらすように、提供されている。本開示の実施形態の完全な理解を提供するために、具体的な部品、装置および方法の例などの、数多くの具体的な細部を説明する。具体的な細部を採用する必要のないこと、例示の実施形態は多くの異なる形態で実施してよいこと、および、いずれも本開示の範囲を限定すると解釈すべきでないことが、当業者には明らかであろう。いくつかの例示の実施形態において、周知の処理、周知の装置構造、および、周知の技術は、詳細には説明しない。
【００１８】
ここで使用する用語は、特定の例示の実施形態のみを説明するためのものであり、限定することを意図したものではない。ここで使用する単数形「ａ」、「ａｎ」および「ｔｈｅ」は、文脈がそうではないと明らかに示さない限り、複数形をも含むことを意図したものである。「含む」、「含有する」、「包含する」および「有する」は、包括的であり、したがって、述べられている特徴、整数、ステップ、動作、要素および／または部品の存在を規定するが、１つ以上の他の特徴、整数、ステップ、動作、要素、部品および／もしくはそれらのグループの存在または追加を、排除するものではない。ここに述べる方法ステップ、処理および動作は、実施の順序が特別に規定されない限り、説明または図示する特定の順序での実施を必ず必要とすると解釈すべきではない。また、追加のまたは代替のステップを採用してもよいと理解すべきである。
【００１９】
要素または層が、他の要素「の上に」、「に係合して」、「に接続して」または「に結合して」と表現されるとき、その要素または層は、直接的に、他の要素の上に、に係合して、に接続して、に結合してもよいし、あるいは、介在する要素または層が存在してもよい。対照的に、要素が、他の要素もしくは層「の上に直接」、「に直接係合して」、「に直接接続して」または「に直接結合して」と表現されるとき、介在する要素または層は存在してはならない。要素間の関係を記述する他の用語は、同様に解釈すべきである（たとえば、「間に」と「間に直接」、「隣接して」と「直接隣接して」など）。ここで使用する用語「および／または」は、１つ以上の関連する列挙された項目のあらゆるまたはすべての組合せを含む。
【００２０】
第１、第２、第３などの用語は、ここでは、種々の要素、部品、領域、層および／または区画を記述するために用いられるが、これらの要素、部品、領域、層および／または区画は、これらの用語によって限定されるべきものではない。これらの用語は、１つの要素、部品、領域、層または区画を、他の領域、層または区画から区別するためにのみ使用されている。ここで使用される「第１」、「第２」などの用語および他の数値用語は、文脈によって明らかに示されない限り、順序または順番を意味するものではない。よって、以下に説明する第１の要素、部品、領域、層または区画は、例示の実施形態の教示から逸脱することなく、第２の要素、部品、領域、層または区画と呼ぶことが可能である。
【００２１】
「内側の」、「外側の」、「下に」、「下方に」、「より低い」、「上方に」、「上の」などの空間的な関係を表す用語は、ここでは、１つの要素または構造の他の要素または構造に対する図示した関係を説明するための、簡単な記載として使用される。空間的な関係を表す用語は、図に示した方向に加え、使用時または動作時の装置の別の方向をも示すことを、意図されている。たとえば、図中の装置がひっくり返された場合、別の要素の「下方に」または「下に」と記載された要素は、その別の要素または構造の「上方に」位置することになる。よって、例示の用語「下方」は、上方および下方の両方向を含み得る。装置は、別の方向（９０゜回転または他の方向）を向いてもよく、ここで使用する空間的な関係を表す記述詞は、相応に解釈される。
【００２２】
図２〜図５を参照すると、車両用の座席アセンブリ２が示されており、これは、座席背部４、座席底部６、ヘッドレスト部８、およびリクライナ機構１０を含んでよい。座席背部２および座席底部４は、背部側方部材１２および底部側方部材１３を含んでよい。リクライナ機構１０は、背部側方部材１２と協働し、背部側方部材１２によって支持されて、底部側方部材１３に対する背部側方部材１２の、リクライナ機構１０によって規定される軸周りの、移動を選択的に許容する。
【００２３】
リクライナ機構１０は、丸型リクライナでよく、ガイド板１４、ラチェット板１６、ロック機構１８、および包囲リング２０を含んでよい。リクライナ機構１０は、協働してロック機構１８をロック状態へと付勢するカム２２および付勢部材２４を含み得る。レバー（不図示）がカム２２と係合して、ロック状態とロック解除状態との間でカム２２と共に回転してよい。ロック機構１８がロック状態にあるとき、ガイド板１４とラチェット板１６との相対的回転が、ロック機構１８によって制限される。ロック機構１８がロック解除状態にあるとき、ロック機構１８は、ガイド板１４とラチェット板１６との相対的回転を、したがって、座席背部４と座席底部６との相対的回転を許容する。ユーザは、レバーを握って回転させてカム２２を回転させ、ロック機構１８をロック状態とロック解除状態との間で移動させることが可能である。リクライナ機構１０は、譲受人の共有する、２００８年２月５日出願の米国仮出願第６１０２６３５２号の利益を主張する、２００９年２月４日出願の国際出願第ＰＣＴ／ＵＳ２００９／０３３０６７号、ならびに、２００８年１月１７日出願の米国仮出願第６１／０２１７４４号および２００８年４月１１日出願の米国仮出願第６１／０４４１６２号の利益を主張する２００９年１月１６日出願の国際出願第ＰＣＴ／ＵＳ２００９／０３１２５５号に開示されている形式のものでよく、これらの出願の開示は参照によってここに組み込まれる。
【００２４】
図５に示したように、ロック機構１８は、概して、ガイド板１４とラチェット板１６との間に配置されている。包囲リング２０は、ガイド板１４およびラチェット板１６の少なくとも一部分を囲んでよく、ガイド板１４およびラチェット板１６の周の少なくとも一部分を囲む本体２６と、第１のフランジ２８と、第２のフランジ３０とを含んでよい。第１のフランジ２８は、本体２６に対して実質的に垂直に位置してよく、ガイド板１４の一部分の上に延在してよい。第２のフランジ３０は、同様に、本体２６に対して実質的に垂直に形成されてよく、第１のフランジ２８の反対方向に延在してよい。
【００２５】
背部側方部材１２は、本体３２と、フランジ３４と、開口３６とを含んでよい。フランジ３４は、本体３２に対して実質的に垂直に形成されてよく、少なくとも部分的に本体３２の周の周りに延在してよい。開口３６は、本体３２を貫通するように形成されてよく、フランジ３４から離間し、分離していてよい。
【００２６】
本体３２は、開口３６を囲んでよく、第１の表面３８と第２の表面４０とを含んでよい。第１の表面３８は、開口３６が概して、第１の表面３８と第２の表面４０との間に延在するように、第２の表面４０に対して開口３６の反対側に形成されてよい。一構成において、第１の表面３８は、第２の表面４０と実質的に共平面である。
【００２７】
図３〜図５を特に参照して、リクライナ機構１０の背部側方部材１２への取付けについて、詳細に説明する。ガイド板１４、ラチェット板１６およびロック機構１８が包囲リング２０に組み付けられる形態でリクライナ機構１０が組み立てられると、リクライナ機構１０は背部側方部材１２に取り付けられてよい。リクライナ機構１０は、包囲リング２０が背部側方部材１２の第１の表面３８および第２の表面４０から延びるように、背部側方部材１２の開口３６に挿入されてよい。
【００２８】
リクライナ機構１０は、包囲リング２０の第２のフランジ３０が第３の表面４２および第４の表面４４にて本体３２に接触するまで、開口３６に挿入されてよい。第３の表面４２は、第１の表面３８に対して本体３２の反対側に形成されてよく、一方、第４の表面４４は、第２の表面４０に対して本体３２の反対側に形成されてよい。したがって、第１の表面３８は第３の表面４２に実質的に平行であり、第２の表面４０は第４の表面４４に実質的に平行である。第１の表面３８および第２の表面４０の場合と同様に、第３の表面４２は第４の表面４４と実質的に共平面でよい。
【００２９】
第２のフランジ３０が本体３２の第３の表面４２および第４の表面４４に接すると、包囲リング２０の第２のフランジ３０は、たとえばミグ溶接またはレーザ溶接などの適切な処理によって、第３の表面４２および第４の表面４４にて本体３２に取り付けられてよい。一構成において、第２のフランジ３０は、第２のフランジ３０の全周にわたって、レーザ溶接される。いくつかの構成において、第２のフランジ３０は、不連続の位置で本体３２に溶接されてよく、あるいは、１つ以上のリベットまたは他の何らかの適切な手段によって取り付けられてよい。
【００３０】
第２のフランジ３０が本体３２に取り付けられると、本体３２は包囲リング２０に対する動きが固定される。さらに、ラチェット板１６は、ラチェット板１６の外周にて包囲リング２０に対する動きが固定されるので、ラチェット板１６も同様に、背部側面部材１２の本体３２に対する動きが固定される。一構成において、ラチェット板１６は、ラチェット板１６の外周に、かつ、概してラチェット板１６の外周と包囲リング２０の本体２６との間に施された溶接４６にて、包囲リング２０に取り付けられる。
【００３１】
ラチェット板１６は、包囲リング２０したがって背部側方部材１２に対するラチェット板１６の動きが固定されるように、包囲リング２０に取り付けられると説明したが、これに代えて、包囲リング２０および背部側方部材１２に対するガイド板１４の動きが固定されるように、ガイド板１４を包囲リング２０に取り付けることも可能である。さらに、包囲リング２０は背部側方部材１２に取り付けられると説明したが、これに代えて、背部側方部材１２について説明したように、ガイド板１４またはラチェット板１６のどちらかが包囲リング２０によって底部側方部材１３に対する動きを固定されるように、包囲リング２０を底部側方部材１３に取り付けることも可能である。包囲リング２０はガイド板１４またはラチェット板１６のどちらかに取り付けることが可能であり、ガイド板１４またはラチェット板１６は背部側方部材１２または底部側方部材１３に結合させることが可能であるが、以下では、リクライナ機構１０〜１０ｍがラチェット板１６に取り付けられた各々の構成における包囲リング２０を説明し示し、したがって、背部側方部材１２に取り付けられたラチェット板１６を説明し示す。
【００３２】
リクライナ機構１０は、追加の支持ブラケットを必要とすることなく、背部側方部材１２に直接取り付けられてよい。背部側方部材１２へのリクライナ機構１０の取付けを、リクライナ機構１０の包囲リング２０に行わせることで、組立て後のリクライナ機構１０および背部側方部材１２の全体の大きさが小さくなる。さらに、背部側方部材１２へのリクライナ機構１０の取付けのための支持ブラケットの必要性を排除することで、組立て後のリクライナ機構１０および背部側方部材１２の全体の重量およびコストが低下し得る。
【００３３】
組立て後のリクライナ機構１０および背部側方部材１２は、底部側方部材１３に取り付けられてよい。具体的には、ガイド板１４は、たとえば、底部側方部材１３に対するガイド板１４の動きが固定されるように、底部側方部材１３に取り付けられてよい。
【００３４】
動作に際し、ロック機構１８が、ガイド板１４とラチェット板１６との相対的な動きを許容すると、ラチェット板１６、背部側方部材１２、および包囲リング２０は、ガイド板１４に対する回転が可能になる。座席底部に対する背部側方部材１２、ラチェット板１６、および包囲リング２０の回転が可能になると、同様に、座席底部に対する背部側方部材１２の位置の調節が可能になる。背部側方部材１２は座席背部４を支持してよいので、底部側方部材１３に対する背部側方部材１２の動きが可能になると、同様に、座席底部６に対する座席背部６の移動および位置の調節が可能になる。
【００３５】
リクライナ機構１０は、背部側方部材１２が座席底部６に取り付けられたときに、リクライナ機構１０が座席底部６に近接するように、背部側方部材１２の底部の近くに配置してよい。そのようにすると、第１の表面３８および第３の表面４２に近い本体３２は、概して、リクライナ機構１０から離れ背部側方部材１２の上部に向って延在し、一方、本体３２の第2の表面４０および第４の表面４４は、概して、リクライナ機構１０から離れ座席底部６に向って延在し得る。
【００３６】
図６および図７を参照すると、背部側方部材１２ａに組み込まれたリクライナ機構１０ａが示されている。リクライナ機構１０ａおよび背部側方部材１２ａに関する部品に対する、リクライナ機構１０および背部側方部材１２に関する部品の構造および機能の実質的類似性に鑑みて、以下、図面において、類似の部品を示すために類似の符号を使用し、変更した部品を表すために拡張文字を含む類似の符号を使用する。
【００３７】
リクライナ機構１０と同様に、リクライナ機構１０ａはガイド板１４、ラチェット板１６、およびロック機構１８を含んでよい。リクライナ機構１０ａも、本体２６ａおよび第１のフランジ２８を有する包囲リング２０ａを含んでよい。本体２６ａは、第１のフランジ２８に対して実質的に垂直に形成されてよく、ガイド板１４およびラチェット板１６の外周の少なくとも一部分の周りに延在してよい。
【００３８】
背部側方部材１２ａは、開口３６ａを有する本体３２ａを含んでよい。開口３６ａは、本体３２ａに形成されてよく、開口３６ａ内への本体３２ａの押出し部または別の形成部として規定されてよい。具体的には、開口３６ａに近い本体３２ａの部分が本体３２ａに対して垂直になるように、開口３６ａに近い本体３２ａの部分が、実質的に９０゜の角度に曲げられ、または別に形成されてよい。本体３２ａのこの曲げられまたは別に形成された部分は、本体３２ａの第１、第２、第３および第４の表面３８，４０，４２および４４に対して実質的に垂直なフランジ４８を規定してよく、フランジ３４と実質的に同じ方向に延在する。
【００３９】
特に図７を参照して、リクライナ機構１０ａと背部側方部材１２ａの組立てについて、詳細に説明する。ガイド板１４、ラチェット板１６、およびロック機構１８が包囲リング２０ａに収容されると、リクライナ機構１０ａは、背部側方部材１２ａの開口３６ａに挿入されてよい。リクライナ機構１０ａは、包囲リング２０ａの本体２６ａが、本体３２ａのフランジ４８に対向し位置合わせされるように、開口３６ａに挿入されてよい。包囲リング２０ａは、包囲リング２０ａの本体２６ａが背部側方部材１２ａのフランジ４８に対向し、かつ接するように、フランジ４８に対して配置されてよい。換言すれば、包囲リング２０ａの本体２６ａは、フランジ４８に対して実質的に平行でよく、たとえば、溶接５０によってフランジ４８に固着されてよい。
【００４０】
リクライナ機構１０ａを開口３６ａおよびフランジ４８の内部に配置することで、従来のリクライナ機構／背部側方部材アセンブリ（図１）の幅と比べて、リクライナ機構１０ａおよび背部側方部材１２の全体の幅を低減することが可能になる。さらに、リクライナ機構１０ａを少なくとも部分的に開口３６ａ内に配置することで、第１の表面３８および第３の表面４２が実質的に同一面内に位置することを可能にし、また、第２の表面４０および第４の表面４４が実質的に同一面内に位置することを可能にし、これによって、従来の背部側方部材（図１）に伴う段差部の必要性を排除することができる。リクライナ機構１０ａをフランジ４８内に配置することは、フランジ４８が包囲リング２０ａに取り付けられるので、リクライナ機構１０ａが背部側方部材１２ａの全体の強度を高めることを可能にする。
【００４１】
リクライナ機構１０と同様に、動作中、ラチェット板１６は、ラチェット板１６と包囲リング２０ａとの係合によって、背部側方部材１２ａに対する動きが固定されてよい。リクライナ機構１０と同様に、包囲リング２０ａは、溶接４６によってラチェット板１６に固着されてよい。
【００４２】
図８および図９を参照すると、背部側方部材１２ｂに組み込まれたリクライナ機構１０ｂが示されている。リクライナ機構１０ｂおよび背部側方部材１２ｂに対する、リクライナ機構１０および背部側方部材１２に関する部品の構造および機能の実質的類似性に鑑みて、以下および図面において、類似の部品を示すために類似の符号を使用し、変更した部品を表すために拡張文字を含む類似の符号を使用する。
【００４３】
リクライナ機構１０ｂは、ガイド板１４、ラチェット板１６、およびロック機構１８を含んでよい。包囲リング２０ｂは、ガイド板１４、ラチェット板１６、およびロック機構１８の少なくとも一部分を囲んでよく、本体２６ｂおよび第１のフランジ２８を含んでよい。第１のフランジ２８は、本体２６ｂに対して実質的に垂直に形成されてよく、図９に示したように、少なくとも部分的にガイド板１４の上部の周りに延在してよい。本体２６ｂは、第１のフランジ２８に対して実質的に垂直に形成されてよく、少なくとも部分的にガイド板１４およびラチェット板１６の外周の周りに延在してよい。
【００４４】
背部側方部材１２は、フランジ４８ｂを有する開口３６ｂを含んでよい。フランジ４８ｂは、フランジ４８ｂが背部側方部材１２ｂのフランジ３４の反対方向に延在するように、フランジ４８の反対方向に形成されてよい。
【００４５】
リクライナ機構１０ｂが背部側方部材１２ｂと組み立てられるとき、リクライナ機構１０ｂは、包囲リング２０ｂの本体２６ｂがフランジ４８ｂに対向するように、概して、背部側方部材１２ｂの開口３６ｂ内に収容される。リクライナ機構１０ａと同様に、包囲リング２０ｂの本体２６ｂは、概して包囲リング２０ｂの本体２６ｂと背部側方部材１２ｂのフランジ４８ｂとの間に溶接５０を施すことによって、フランジ４８ｂにて背部側方部材１２ｂに固着されてよい。
【００４６】
リクライナ機構１０および１０ａと同様に、包囲リング２０ｂが背部側方部材１２ｂに取り付けられると、ラチェット板１６は溶接４６によって包囲リング２０ｂに取り付けられてよいので、背部側方部材１２、ラチェット板１６、および包囲リング２０は回転が固定されてよい。
【００４７】
図１０および図１１を参照すると、背部側方部材１２ｃに取り付けられたリクライナ機構１０ｃが示されている。リクライナ機構１０ｃおよび背部側方部材１２ｃに対する、リクライナ機構１０および背部側方部材１２に関する部品の構造および機能の実質的類似性に鑑みて、以下、図面において、類似の部品を示すために類似の符号を使用し、変更した部品を表すために拡張文字を含む類似の符号を使用する。
【００４８】
リクライナ機構１０ｃは、ガイド板１４、ラチェット板１６、およびロック機構１８を含んでよい。包囲リング２０ｃは、ガイド板１４およびラチェット板１６の少なくとも一部分を囲んでよく、本体２６ｃおよび第２のフランジ３０ｃを含んでよい。包囲リング２０ｃに加えて、リクライナ機構１０ｃは、概して、包囲リング２０ｃと背部側方部材１２ｃとの間に配置されたマウントブラケット５２も含んでよい。マウントブラケット５２は、本体５４、本体５４を貫通して形成された開口５６、および本体５４の外周の周りに配置されたフランジ５８を含んでよい。フランジ５８は、概してフランジ５８と本体５４との間に凹部６０が規定されるように、本体５４からずれていてよい。
【００４９】
マウントブラケット５２がリクライナ機構１０ｃに取り付けられると、リクライナ機構１０ｃの一部分は、概して、凹部６０内に位置してよい。具体的には、ラチェット板１６は、凹部６０内の本体５４内に位置し、本体５４に取り付けられてよい。
【００５０】
背部側方部材１２ｃは、開口３６ｃを有してよく、背部側方部材１２と類似の構成でよい。
【００５１】
特に図１１を参照して、リクライナ機構１０ｃと背部側方部材１２ｃの組立てについて、詳細に説明する。マウントブラケット５２が包囲リング２０ｃおよび／またはラチェット板１６に取り付けられると、マウントブラケット５２したがってリクライナ機構１０ｃは、背部側方部材１２ｃに取り付けられてよい。具体的には、マウントブラケット５２の本体５４は、少なくとも部分的に背部側方部材１２ｃの開口３６ｃ内に収容されてよい。フランジ５８は本体５４からずれているので、フランジ５８は、背部側方部材１２ｃの第１の表面３８および第２の表面４０に接触して、マウントブラケット５２およびリクライナ機構１０ｃを背部側方部材１２ｃに対して位置決めしてよい。
【００５２】
フランジ５８が背部側方部材１２ｃの第１の表面３８および第２の表面４０に係合すると、フランジ５８は背部側方部材１２ｃに固着されてよい。一構成において、溶接が、概して、フランジ５８にてマウントブラケット５２の全周の周りに延在して、フランジ５８を背部側方部材１２ｃの本体３２に固着する。他の構成において、マウントブラケット５２は、不連続の位置にて、背部側方部材１２ｃに取り付けられてよい。どちらの構成においても、フランジ５８は、たとえばミグ溶接またはレーザ溶接などの適切な処理によって、背部側方部材１２ｃに固着されてよい。
【００５３】
図１０においては、弓形の表面６２および実質的に平面状の表面６４を含むマウントブラケット５２を示したが、これに代えて、マウントブラケット５２は実質的に円形状を有することもできる。マウントブラケット５２は、マウントブラケット５２形成時のくずを最小にする刻印具または他の製造処理内で、マウントブラケットが入れ子になることを可能にするあらゆる形状を有してよい。
【００５４】
図１２〜図１４を参照すると、リクライナ機構１０ｄおよび背部側方部材１２ｄが示されている。リクライナ機構１０ｄおよび背部側方部材１２ｄに対する、リクライナ機構１０および背部側方部材１２に関する部品の構造および機能の実質的類似性に鑑みて、以下、図面において、類似の部品を示すために類似の符号を使用し、変更した部品を表すために拡張文字を含む類似の符号を使用する。
【００５５】
リクライナ機構１０ｄは、ガイド板１４、ラチェット板１６、およびロック機構１８を含んでよい。包囲リング２０ｄは、ガイド板１４およびラチェット板１６の周の周りに延在し、周に部分的に重なってよく、本体２６ｄおよび第２のフランジ３０ｄを含んでよい。第２のフランジ３０ｄは、本体２６ｄに対して実質的に垂直に形成されてよく、図１４に示すように、少なくとも部分的にラチェット板１６の表面に重なってよい。
【００５６】
背部側方部材１２ｄは、開口３６ｄに近い背部側方部材１２ｄの全体強度を高める、いわゆる「ダブラー板（doubler plate）」を含んでよい。一構成において、ダブラー板は、背部側方部材１２ｄが厚さの増した局所的領域を含むように、背部側方部材１２ｄの本体３２ｄを開口３６ｄに近い範囲におけるそれ自体の上に折り曲げて、形成される。本体３２ｄがそれ自体の上に折り曲げられて、開口３６ｄの範囲の背部側方部材１２ｄの厚さを実質的に２倍にするように、本体３２ｄを折り曲げることによって形成されるダブラー板を説明したが、これに代えて、背部側方部材１２ｄは、背部側方部材１２ｄの本体３２ｄに固着されて、開口３６ｄに近い背部側方部材１２ｄを補強する別個のブラケットまたは板を備えてもよい。
【００５７】
リクライナ機構１０ｄが背部側方部材１２ｄに取り付けられると、ラチェット板１６は、何らかの適切な方法によって、背部側方部材１２ｄの本体３２ｄに固着されてよい。たとえば、一構成において、ラチェット板１６は、背部側方部材１２ｄの本体３２ｄに形成された開口６８に収容されて係合する一連の突起６６を含んでよい。突起６６が開口６８に収容されると、ラチェット板１６は、ラチェット板１６を本体３２ｄに溶接することによって、本体３２ｄに固着されてよい。ラチェット板１６が背部側方部材１２ｄの本体３２ｄに固着されると、ラチェット板１６は背部側方部材１２ｄに対する動きが固定される。
【００５８】
図１５および図１６を参照すると、リクライナ機構１０ｅおよび背部側方部材１２ｅが示されている。リクライナ機構１０ｅおよび背部側方部材１２ｅに対する、リクライナ機構１０および背部側方部材１２に関する部品の構造および機能の実質的類似性に鑑みて、以下、図面において、類似の部品を示すために類似の符号を使用し、変更した部品を表すために拡張文字を含む類似の符号を使用する。
【００５９】
リクライナ機構１０ｅは、ガイド板１４、ラチェット板１６、およびロック機構１８を含んでよい。包囲リング２０ｅは、ガイド板１４およびラチェット板１６の周の周りに延在し、周に部分的に重なってよく、本体２６ｅ、第１のフランジ２８、および第２のフランジ３０ｅを含んでよい。第２のフランジ３０ｅは、本体２６ｅに対して実質的に垂直に形成されてよく、少なくとも部分的にラチェット板１６の表面に重なってよい。
【００６０】
図１６に示すように、第２のフランジ３０ｅは、６個の実質的に平面状の側面７０を有する実質的に六角形の形状を有してよい。平面状の側面７０は、それぞれが丸められた縁部７２によって互いに接続されてよい、または一対の隣接する平面状の側面７０の交差によって形成される６個の実質的に鋭い角部（図示せず）を有する第２のフランジ３０ｅを備えてよい。第２のフランジ３０ｅの特定の構造にかかわらず、六角形の形状は、包囲リング２０ｅの形成中、包囲リング２０ｅが他の包囲リング２０ｅと入れ子になることを可能にして、各包囲リング２０ｅの製造に関連するくずを減少させることを可能にする。
【００６１】
図１５および図１６を引き続き参照して、リクライナ機構１０ｅの背部側方部材１２ｅへの取り付けを説明する。リクライナ機構１０ｅは、包囲リング２０ｅが背部側方部材１２ｅ内に形成された開口３６内に少なくとも部分的に収容されるように、背部側方部材１２ｅに対して配置されてよい。包囲リング２０ｅが、本体２６ｅの外面が開口３６に対向するように、開口３６内に配置されると、溶接５０が、第２のフランジ３０ｅの周りの様々な位置において、第２のフランジ３０ｅしたがって包囲リング２０ｅを背部側方部材１２ｅに取り付けるために使用されてよい。具体的には、第２のフランジ３０ｅが背部側方部材１２ｅの第３および第４の表面４２，４４に係合すると、溶接５０が、第２のフランジ３０ｅを表面４２，４４に取り付けるために、使用されてよい。包囲リング２０ｅは、溶接４６によってラチェット板１６に取り付けられてよいので、包囲リング２０ｅの背部側方部材１２ｅへの取り付けは、同様に、リクライナ機構１０ｅのガイド板１４、ラチェット板１６、およびロック機構１８を、背部側方部材１２ｅに取り付ける。ガイド板１４、ラチェット板１６、ロック機構１８、および包囲リング２０ｅは、背部側方部材１２ｅによって支持されるが、包囲リング２０ｅが、溶接４６によってラチェット板１６に取り付けられ、溶接５０によって背部側方部材１２ｅに取り付けられるので、ラチェット板１６および包囲リング２０ｅだけが、背部側方部材１２ｅに対する回転が固定される。
【００６２】
背部側方部材１２ｅは、実質的に六角形の第２のフランジ３０ｅを組み込む包囲リング２０ｅを有する、リクライナ機構１０ｅに関連付けられていると説明したが、背部側方部材１２ｅは、実質的に任意の幾何学的形状を有する第２のフランジを組み込む包囲リングを有するリクライナ機構に関連付けることが可能である。図１７〜図２４は、包囲リング２０ｆ〜２０ｌを組み込む種々のリクライナ機構１０ｆ〜１０ｌを示し、各包囲リングは、第２のフランジ３０ｆ〜３０ｌを有し、第２のフランジ３０ｆ〜３０ｌは、背部側方部材１２ｆ〜１２ｌに取り付けられてよい。各包囲リング２０ｆ〜２０ｌは、包囲リング２０ｆ〜２０ｌが、製造中、入れ子になることを可能にするために、この特定の包囲リング２０ｆ〜２０ｌが他の同様の形状を有する包囲リング２０ｆ〜２０ｌと入れ子になることを可能にする形状を含んでよく、それによって、各包囲リング２０ｆ〜２０ｌの形成に関連するくずを減少させる。
【００６３】
リクライナ機構１０ｆ〜１０ｌおよび背部側方部材１２ｆ〜１２ｌに関する部品に対する、リクライナ機構１０および背部側方部材１２に関する部品の構造および機能の実質的類似性に鑑みて、以下、図面において、類似の部品を示すために類似の符号を使用し、変更した部品を表すために拡張文字を含む類似の符号を使用する。
【００６４】
図１７を参照すると、第２のフランジ３０ｆを有する包囲リング２０ｆを含むリクライナ機構１０ｆが示されている。第２のフランジ３０ｆは、溶接５０によって背部側方部材１２ｆに取り付けられてよく、３個のタブ７６を含んでよい。３個のタブ７６は、外面７７を含んでよい。タブ７６のうちの１つのタブの外面７７は、リクライナ機構１０ｆを背部側方部材１２ｆに対して位置決めおよび配置するために、背部側方部材１２ｆのフランジ８４に係合してよい。溶接５０は、タブ７６のうちの１つ以上において、および／または、概してタブ７６の間の第２のフランジ３０ｆの領域において、包囲リング２０ｆを背部側方部材１２ｆに取り付けてよい。前述のリクライナ機構１０〜１０ｅと同様に、包囲リング２０ｆの背部側方部材１２ｆへの取り付けは、背部側方部材１２ｆに対するラチェット板１６および包囲リング２０ｆの動きを固定する。
【００６５】
図１８を参照すると、背部側方部材１２ｇに関連付けられたリクライナ機構１０ｇが示されており、リクライナ機構１０ｇは、第２のフランジ３０ｇを有する包囲リング２０ｇを含んでよい。第２のフランジ３０ｇは、第２のフランジ３０ｇから延びる一対のタブ７８を含んでよい。タブ７８は、リクライナ機構１０ｇを背部側方部材１２ｇに対して配置するために、背部側方部材１２ｇに隣接して配置されてよい。たとえば、少なくとも１つのタブ７８の外面７９は、リクライナ機構１０ｇを背部側方部材１２ｇに対して位置決めおよび配置するために、背部側方部材１２ｇのフランジ８４に係合してよい。
【００６６】
少なくとも１箇所の溶接が、タブ７８のうちの一方または両方において、包囲リング２０ｇを背部側方部材１２ｇに固定してよい。タブ７８のうちの少なくとも１つが、少なくとも１箇所の溶接によって背部側方部材１２ｇに取り付けられると記載したが、追加または代替の１箇所以上の溶接が、概してタブ７８の間の第２のフランジ３０ｇの領域に配置されてよい。包囲リング２０ｇを背部側方部材１２ｇに固定するために使用される溶接の特定の位置および回数にかかわらず、包囲リング２０ｇが背部側方部材１２ｇに固定されると、リクライナ機構１０〜１０ｆに関して上に述べたように、ラチェット板１６および包囲リング２０ｇの背部側方部材１２ｇに対する動きが固定される。
【００６７】
図１９を参照すると、背部側方部材１２ｈに関連付けられたリクライナ機構１０ｈが示されており、リクライナ機構１０ｈは、実質的に矩形の形状を有する包囲リング２０ｈを含む。包囲リング２０ｈは、包囲リング２０ｈの実質的に矩形の形状を規定する第２のフランジ３０ｈを含んでよく、第２のフランジ３０ｈにおける少なくとも１箇所の溶接によって背部側方部材１２ｈに取り付けられてよい。少なくとも１箇所の溶接５０は、第２のフランジ３０ｈ、したがって包囲リング２０ｈおよびリクライナ機構１０ｈを背部側方部材１２ｈに取り付けるために、第２のフランジ３０ｈに沿った様々な位置に配置されてよい。リクライナ機構１０〜１０ｇと同様に、第２のフランジ３０ｈの背部側方部材１２ｈへの取り付けは、背部側方部材１２ｈに対するラチェット板１６および包囲リング２０ｈの動きを固定する。
【００６８】
図２０を参照すると、背部側方部材１２ｉに関連付けられたリクライナ機構１０ｉが示されており、リクライナ機構１０ｉは、実質的に方形の形状を有する包囲リング２０ｉを含む。包囲リング２０ｉは、包囲リング２０ｉの実質的に方形の形状を規定する第２のフランジ３０ｉを含んでよく、第２のフランジ３０ｉにおける少なくとも１箇所の溶接によって背部側方部材１２に取り付けられてよい。少なくとも１箇所の溶接５０は、第２のフランジ３０ｉ、したがって包囲リング２０ｉおよびリクライナ機構１０ｉを背部側方部材１２ｉに取り付けるために、第２のフランジ３０ｉに沿った様々な位置に配置されてよい。リクライナ機構１０〜１０ｈと同様に、第２のフランジ３０ｉの背部側方部材１２ｉへの取り付けは、背部側方部材１２ｉに対するラチェット板１６および包囲リング２０ｉの動きを固定する。
【００６９】
図２１を参照すると、背部側方部材１２ｊに関連付けられるリクライナ機構１０ｊが示されており、リクライナ機構１０ｊは、一連のタブ８０を有する包囲リング２０ｊを含んでよい。包囲リング２０ｊは、各タブ８０を規定する第２のフランジ３０ｊを含んでよく、少なくとも１箇所の溶接が包囲リング２０ｊを背部側方部材１２ｊに取り付けるように、背部側方部材１２ｊに対して配置されてよい。少なくとも１箇所の溶接は、タブ８０のうちの１つ以上、および／またはタブ８０の間に配置された第２のフランジ３０ｊの領域において、第２のフランジ３０ｊを背部側方部材１２ｊに取り付けてよい。溶接の特定の回数および位置にかかわらず、溶接は、包囲リング２０ｊを背部側方部材１２ｊに取り付けるために機能し、リクライナ機構１０〜１０ｉと同様に、ラチェット板１６および包囲リング２０ｊの背部側方部材１２ｊに対する動きを固定する。
【００７０】
タブ８０は、各タブが、背部側方部材１２ｊのフランジ８４と同様の半径を有する外側の弓形の表面８２を含んでよい。弓形の表面８２のうちの少なくとも１つは、包囲リング２０ｊを背部側方部材１２ｊに取り付ける前に、包囲リング２０ｊ、したがってリクライナ機構１０ｊの背部側方部材１２ｊに対する配置を支援するために、背部側方部材１２ｊのフランジ８４に隣接してよい。
【００７１】
図２２を参照すると、背部側方部材１２ｋに関連付けられるリクライナ機構１０ｋが示されており、リクライナ機構１０ｋは、包囲リング２０ｋを含んでよい。包囲リング２０ｋは、包囲リング２０ｋを背部側方部材１２ｊに対して配置し、包囲リング２０ｊを背部側方部材１２ｊに取り付けるための表面を提供するために機能してよい、一対の突出部８８を有する第２のフランジ３０ｋを含んでよい。
【００７２】
一対の突出部８８は、背部側方部材１２ｊに形成された凹部９０に対向する側に配置されてよい。突出部８８を凹部９０のいずれかの側に配置すること、および突出部８８の一方または両方を背部側方部材１２ｊの凹部９０に近接する領域に接触可能にすることは、突出部８８が包囲リング２０ｋしたがってリクライナ機構１０ｋの背部側方部材１２ｊに対する適切な配置を支援することを可能にする。包囲リング２０ｋおよびリクライナ機構１０ｋが背部側方部材１２ｋに対して適切に配置されると、少なくとも１箇所の溶接５０が、包囲リング２０ｋを背部側方部材１２ｋに取り付けるために、第２のフランジ３０ｋの任意の位置において使用されてよい。リクライナ機構１０〜１０ｊに関して上に述べたように、包囲リング２０ｋの背部側方部材１２ｋへの取り付けは、ラチェット板１６および包囲リング２０ｇの背部側方部材１２ｇに対する動きを固定する。
【００７３】
図２３および図２４を参照すると、背部側方部材１２ｌに関連付けられるリクライナ機構１０ｌが示されている。リクライナ機構１０ｌは、第２のフランジ３０ｌを含んでよく、第２のフランジは、背部側方部材１２ｌに対してリクライナ機構１０ｌを位置付けしてよく、包囲リング２０ｌを背部側方部材１２ｌに取り付けるための表面を提供してよい。
【００７４】
第２のフランジ３０ｌは、概して、ガイド板１４およびラチェット板１６から離れて延在する遠位端９２を有する実質的に涙滴状の形状を有してよい。遠位端９２は、包囲リング２０ｌ、したがってリクライナ機構１０ｌの背部側方部材１２ｌに対する配置を支援するために、背部側方部材１２ｌに形成される凹部９４に収容されてよい。リクライナ機構１０ｌが背部側方部材１２ｌに対して適切に配置されると、少なくとも１箇所の溶接５０が、包囲リング２０ｌしたがってリクライナ機構１０ｌを背部側方部材１２ｌに取り付けてよい。リクライナ機構１０〜１０ｋと同様に、このような包囲リング２０ｌの取り付けは、背部側方部材１２ｌに対するラチェット板１６および包囲リング２０ｌの動きを固定する。
【００７５】
図２５〜図２７を参照すると、背部側方部材１２ｍに組み込まれたリクライナ機構１０ｍが示されている。リクライナ機構１０ｍおよび背部側方部材１２ｍに関する部品に対する、リクライナ機構１０および背部側方部材１２に関する部品の構造および機能の実質的類似性に鑑みて、以下、図面において、類似の部品を示すために類似の符号を使用し、変更した部品を表すために拡張文字を含む類似の符号を使用する。
【００７６】
リクライナ機構１０と同様に、リクライナ機構１０ｍは、ガイド板１４、ラチェット板１６、およびロック機構１８を含んでよい。リクライナ機構１０ｍは、本体２６ｍ、第１のフランジ２８ｍ、および第２のフランジ３０ｍを含む包囲リング２０ｍも含んでよい。本体２６ｍは、第１および第２のフランジ２８ｍ，３０ｍに実質的に垂直に形成されてよく、少なくともガイド板１４およびラチェット板１６の外周の一部分の周りに延在してよい。
【００７７】
第２のフランジ３０ｍは、第１の端部３１および第２の端部３２を有する実質的に螺旋である形状を含んでよい。第２のフランジ３０ｍは、互いに約１８０度（１８０°）離れて配置される第１および第２の切り欠き３５，３７を含んでよい。第１の切り欠き３５は、第１および第２の端部３１，３３を半径方向および軸方向において互いに分離してよい。第１および第２の切り欠き３５，３７は、第２のフランジ３０ｍの第１および第２の部分３９，４１を規定するために協働してよい。第２のフランジ３０ｍの実質的に螺旋である形状のために、第１の端部３１が軸方向において第１のフランジ２８ｍから離間している以上に、第２の端部３３は軸方向において第１のフランジ２８ｍから離間してよい。
【００７８】
背部側方部材１２ｍは、開口３６ｍ、ならびに第１、第２、第３、および第４の表面３８，４０，４２，４４を含む本体３２ｍを含んでよい。本体３２ｍは、少なくとも部分的に開口３６ｍを規定するフランジ４８ｍも含んでよい。フランジ４８ｍは、包囲リング２０ｍの第２のフランジ３０ｍの螺旋である形状のピッチに実質的に適合するピッチを有する実質的に螺旋である形状を含んでよい。フランジ４８ｍは、軸方向および半径方向において互いに離間した第１および第２の端部４９，５１を含んでよい。第１および第２の端部４９，５１の間の隙間は、フランジ４８ｍにおいて第２の切り欠き５５から約１８０度（１８０°）離れて配置された第１の切り欠き５３を規定してよい。第１および第２の切り欠き５３，５５は、フランジ４８ｍの第１および第２の部分５７，５９を規定するために協働してよい。
【００７９】
図２５〜図２７を引き続き参照して、リクライナ機構１０ｍと背部側方部材１２ｍの組立てについて、詳細に説明する。ガイド板１４、ラチェット板１６、およびロック機構１８が包囲リング２０ｍに取り付けられると、リクライナ機構１０ｍは、背部側方部材１２ｍの開口３６ｍに係合されてもよい。
【００８０】
リクライナ機構１０ｍを開口３６ｍに係合させることは、包囲リング２０ｍが開口３６ｍと実質的に同軸となり、包囲リング２０ｍが、軸方向において、包囲リング２０ｍの第２のフランジ３０ｍの第２の部分４１がフランジ４８ｍの第１の部分５７に隣接して配置されるように、リクライナ機構１０ｍを配置することを含んでよい。リクライナ機構１０ｍは、次に、第２のフランジ３０ｍの螺旋表面およびフランジ４８ｍを、フランジ４８ｍの第２の部分５９が第２のフランジ３０ｍの第２の部分４１に係合する位置に螺入するために、図２５および図２７に示されるように、ほぼ１８０度（１８０°）回転されることができる。そのような構成は、リクライナ機構１０ｍおよび包囲リング２０ｍが、表面３８，４０に向う方向において、背部側方部材１２ｍと組み立てられることを可能にする。
【００８１】
リクライナ機構１０ｍがこのように背部側方部材１２ａに対して配置されると、１箇所以上の溶接が、包囲リング２０ｍを背部側方部材１２ａに対して固定するために、第２のフランジ３０ｍおよびフランジ４８ｍに適用されてもよい。いくつかの実施形態において、フランジ３８ｍ，４０ｍのピッチは、包囲リング２０ｍの開口３６ｍに対する上記以上または上記以下の回転がフランジ３０ｍ，４８ｍを互いに完全に係合するために必要であるように構成されることができる。
【００８２】
リクライナ機構１０と同様に、動作中、リクライナ機構１０ｍのラチェット板１６は、ラチェット板１６と包囲リング２０ｍとの係合によって、背部側方部材１２ｍに対する回転が固定されてよい。包囲リング２０ｍは、１箇所以上の溶接によって、ラチェット板１６に固着されてよい。包囲リング２０ｍをこのように取り付けることは、ラチェット板１６および包囲リング２０ｍの背部側方部材１２ｍに対する動きを固定して、底部側方部材１３に対して相対的に移動させる。
【００８３】
図２８および図２９を参照すると、背部側方部材１２ｎに組み込まれたリクライナ機構１０ｎが示されている。リクライナ機構１０ｎおよび背部側方部材１２ｎに関する部品に対する、リクライナ機構１０および背部側方部材１２に関する部品の構造および機能の実質的類似性に鑑みて、以下、図面において、類似の部品を示すために類似の符号を使用し、変更した部品を表すために拡張文字を含む類似の符号を使用する。
【００８４】
リクライナ機構１０と同様に、リクライナ機構１０ｎは、ガイド板１４、ラチェット板１６、およびロック機構１８を含んでよい。リクライナ機構１０ｎは、本体２６ｎ、第１のフランジ２８ｎ、および第２のフランジ３０ｎを含む包囲リング２０ｎも含んでよい。本体２６ｎは、第１および第２のフランジ２８ｎ，３０ｎに対して実質的に垂直に形成されてよく、少なくともガイド板１４およびラチェット板１６の外周の一部分の周りに延在してよい。第１および第２のフランジ２８ｎ，３０ｎは、本体２６ｎから互いに反対の方向に、放射状に延在してよい。第２のフランジ３０ｎは、第２のフランジ３０ｎを貫通して形成される複数の開口９６を含んでよい。
【００８５】
背部側方部材１２ｎは、開口３６ｎ、ならびに第１、第２、第３、および第４の表面３８ｎ，４０ｎ，４２ｎ，４４ｎを含む、本体３２ｎを含んでよい。第３および第４の表面４２ｎ，４４ｎのうちの１つまたは両方は、開口３６ｎを規定する軸に概して平行な方向において、表面から外側に向って延在する１つ以上の突起部９８を含んでよい。突起部９８は、たとえば第１および第２の表面にディンプルをプレスすることによって形成することができる。突起部９８の数および突起部の間隔は、包囲リング２０ｎにおける開口９６の数および開口９６の相対的な間隔にそれぞれ対応してよい。
【００８６】
図２８および図２９を引き続き参照して、リクライナ機構１０ｎの背部側方部材１２ｎへの取り付けについて、詳細に説明する。ガイド板１４、ラチェット板１６、およびロック機構１８が包囲リング２０ｎに組み立てられるように、リクライナ機構１０ｎが組み立てられると、リクライナ機構１０ｎは、背部側方部材１２ｎに取り付けられてよい。リクライナ機構１０ｎは、背部側方部材１２ｎの突起部９８が第２のフランジ３０ｎにおける開口９６に係合して、包囲リング２０ｎの第２のフランジ３０ｎが、第３および第４の表面４２ｎ，４４ｎに接触するまで、開口３６ｎに挿入されてよい。突起部９８および開口９６の係合は、背部側方部材１２ｎに対するリクライナ機構１０ｎの回転に関する位置合わせを容易にしてよい。
【００８７】
突起部９８および開口９６の係合は、包囲リング２０ｎが押込まれ背部側方部材１２ｎと係合すると、リクライナ機構１０ｎが背部側方部材１２ｎにしっかりと保持されるように、圧入または締り嵌めであってよい。いくつかの実施形態において、包囲リング２０ｎを背部側方部材１２ｎに固定するための突起部９８に加えて、または代替として、リベットが使用されてよい。いくつかの実施形態において、１箇所以上の溶接が、リクライナ機構１０ｎを背部側方部材１２ｎに固定するために、包囲リング２０ｎおよび背部側方部材１２ｎに適用されてよい。１箇所以上の溶接は、開口９６および突起部９８に隣接して、開口３６ｎならびに本体２６ｎおよび／または第２のフランジ３０ｎに隣接して、および／または第２のフランジ３０ｎの外周ならびに第３および／または第４の表面４２ｎ，４４ｎに隣接して、適用されてよい。
【００８８】
リクライナ機構１０〜１０ｎの様々な実施形態が、背部側方部材１２〜１２ｎに対する特定の配向にあるものとして、図面に示され、上に述べられているが、いくつかの実施形態において、リクライナ機構１０〜１０ｎは異なる配向にあってよい。たとえば、ラチェット板１６が座席組立体２の内部を向き、ガイド板１４および第１のフランジ２８が座席組立体２から外側を向くように配向されたリクライナ機構１０が、図４および図５に示されている。しかしながら、いくつかの実施形態において、背部側方部材１２に対するリクライナ機構１０の配向は、ガイド板１４および第１のフランジが座席組立体２の内部を向き、ラチェット板１６が座席組立体２から外側を向くように、背部側方部材１２に対するリクライナ機構１０の配向を反転させることができる。
【００８９】
前述の実施形態の記載は、解説および説明のために提供されたものであって、本発明を網羅するものではなく、また本発明を限定するものでもない。各要素または特定の実施形態が有する特徴は、一般に、その実施形態に限定されるものではなく、適用可能である場合には、たとえ具体的に図示または記載されていなくとも、交換可能であり、選択された実施形態において使用可能である。各要素または特定の実施形態が有する特徴は、様々な方法で変形されてもよい。そのような変形は、本発明からの逸脱であるとみなされるべきではなく、すべてのそのような変形は、本発明の範囲に含まれることが意図されている。
【図１】
2011219082.tif 000003
【図２】
2011219082.tif 000004
【図３】
2011219082.tif 000005
【図４】
2011219082.tif 000006
【図５】
2011219082.tif 000007
【図６】
2011219082.tif 000008
【図７】
2011219082.tif 000009
【図８】
2011219082.tif 000010
【図９】
2011219082.tif 000011
【図１０】
2011219082.tif 000012
【図１１】
2011219082.tif 000013
【図１２】
2011219082.tif 000014
【図１３】
2011219082.tif 000015
【図１４】
2011219082.tif 000016
【図１５】
2011219082.tif 000017
【図１６】
2011219082.tif 000018
【図１７】
2011219082.tif 000019
【図１８】
2011219082.tif 000020
【図１９】
2011219082.tif 000021
【図２０】
2011219082.tif 000022
【図２１】
2011219082.tif 000023
【図２２】
2011219082.tif 000024
【図２３】
2011219082.tif 000025
【図２４】
2011219082.tif 000026
【図２５】
2011219082.tif 000027
【図２６】
2011219082.tif 000028
【図２７】
2011219082.tif 000029
【図２８】
2011219082.tif 000030
【図２９】
2011219082.tif 000031
【外国語明細書】
2011219082000001.pdf